(57)【特許請求の範囲】
【請求項１】
二枚の薄板の間に発泡体で形成された芯材が配置されて構成され、平坦である屋根材と、
凹部が形成され、前記屋根材の全周の側面を囲む枠体と、
前記屋根材を支持する支持部材と、
を備え、
前記枠体はＨ字型の断面形状を有し、前記凹部が内側に配置され、
前記屋根材の全周の側面が前記枠体の前記凹部に嵌合され、前記枠体の外側に配置される外側凹部がカバーにより覆われており、
前記枠体の上面および前記屋根材の上面よりも前記カバーの上端が高いことを特徴とする屋外用構造物。
【請求項２】
二枚の薄板の間にハニカム構造体で構成された芯材が配置されて構成され、平坦である屋根材と、
凹部が形成され、前記屋根材の全周の側面を囲む枠体と、
前記屋根材を支持する支持部材と、
を備え、
前記枠体はＨ字型の断面形状を有し、前記凹部が内側に配置され、
前記屋根材の全周の側面が前記枠体の前記凹部に嵌合され、前記枠体の外側に配置される外側凹部がカバーにより覆われており、
前記枠体の上面および前記屋根材の上面よりも前記カバーの上端が高いことを特徴とする屋外用構造物。
【請求項３】
前記屋根材は、前記枠体に連結された前記支持部材によって支持されている
請求項１または請求項２に記載の屋外用構造物。
【請求項４】
前記二枚の薄板は、アルミニウム板、繊維強化プラスチック板、鋼板のいずれか一つまたはいずれかの組み合わせからなる請求項１から請求項３のいずれか一項に記載の屋外用構造物。
【請求項５】
前記二枚の薄板は、少なくとも一方が前記繊維強化プラスチック板からなる
請求項４に記載の屋外用構造物。
【発明の詳細な説明】
【技術分野】
【０００１】
本発明は、屋外用構造物に関する。
【背景技術】
【０００２】
駐車場や駐輪場や庭において、雨避け等の目的で屋根が設置される場合がある。例えば、カーポート等を構成する所定の部品を用いて設置現場で施工する屋外用構造物が知られている（特許文献１、２）。
従来の屋外用構造物では、折半屋根や、垂木及び母屋の上にポリカーボネートやガラス等の透明な屋根材を取り付けた屋根を梁及び柱で支える構造が採用されている。
【先行技術文献】
【特許文献】
【０００３】
【特許文献１】特開２００６−９７３６４号公報
【特許文献２】特開２０１４−１５６７２９号公報
【発明の概要】
【発明が解決しようとする課題】
【０００４】
上記従来の屋外用構造物では、屋根の下方から屋根材を支える梁等の構造物が見えるため意匠性の点で課題となっていた。また、折半屋根や、ガラス等の重い材料を使用する屋根は、施工時の作業負担が大きかった。
【０００５】
上記事情を踏まえ、本発明は、施工性及び意匠性を向上させることができる屋外用構造物を提供することを目的とする。
【課題を解決するための手段】
【０００６】
本発明に係る屋外用構造物は、二枚の薄板の間に発泡体で形成された芯材が配置されて構成され、平坦である屋根材と、凹部が形成され、前記屋根材の全周の側面を囲む枠体と、前記屋根材を支持する支持部材と、を備え、前記枠体はＨ字型の断面形状を有し、前記凹部が内側に配置され、前記屋根材の全周の側面が前記枠体の前記凹部に嵌合され、前記枠体の外側に配置される外側凹部がカバーにより覆われており、前記枠体の上面および前記屋根材の上面よりも前記カバーの上端が高いことを特徴とする。
【０００７】
この発明によれば、屋根材が二枚の薄板の間に発泡体で形成された芯材が配置されて構成されるため、屋根材を軽量化することができ、且つ十分な強度が得られる。また、屋根材が軽量化されることで、従来の屋外用構造物で用いられているポリカーボネート製の屋根材に比べて強度を高くできるため、垂木や母屋等の屋根を構成する部品が不要となる。その結果、屋根を軽量化できるとともに、屋根材の下面（天井）を平坦にすることができ、意匠性に優れた屋外用構造物を提供できる。また、屋根が遮光性に優れる。
【０００８】
本発明に係る屋外用構造物は、二枚の薄板の間にハニカム構造体で構成された芯材が配置されて構成され、平坦である屋根材と、凹部が形成され、前記屋根材の全周の側面を囲む枠体と、前記屋根材を支持する支持部材と、を備え、前記枠体はＨ字型の断面形状を有し、前記凹部が内側に配置され、前記屋根材の全周の側面が前記枠体の前記凹部に嵌合され、前記枠体の外側に配置される外側凹部がカバーにより覆われており、前記枠体の上面および前記屋根材の上面よりも前記カバーの上端が高いことを特徴とする。
【０００９】
この発明によれば、屋根材が二枚の薄板の間にハニカム構造体で構成された芯材が配置されて構成されるため、屋根材を軽量化することができ、且つ十分な強度が得られる。また、屋根材が軽量化されることで、従来の屋外用構造物で用いられているポリカーボネート製の屋根材に比べて強度を高くできるため、垂木や母屋等の屋根を構成する部品が不要となる。その結果、屋根を軽量化できるとともに、屋根材の下面（天井）を平坦にすることができ、意匠性に優れた屋外用構造物を提供できる。また、屋根が遮光性に優れる。
【００１０】
本発明に係る屋外用構造物において、前記屋根材は、前記枠体に連結された前記支持部材によって支持されていてもよい。
【００１１】
この発明によれば、屋根材の軽量化を実現できるので、枠体に支持部材を連結することにより屋根材が支持可能となる。したがって、簡便な支持構造となり、屋外用構造物の施工時の作業性を向上させることができる。
【００１２】
本発明に係る屋外用構造物において、前記二枚の薄板は、アルミニウム板、繊維強化プラスチック板、鋼板のいずれか一つまたはいずれかの組み合わせからなるものでもよい。
本発明に係る屋外用構造物において、前記二枚の薄板は、少なくとも一方が前記繊維強化プラスチック板からなるものでもよい。
【００１３】
この発明によれば、発泡体からなる芯材を軽量且つ耐久性に優れた薄板で覆うので、屋根材の耐熱性、遮光性、及び耐久性を向上させることができる。
【発明の効果】
【００１４】
本発明の屋外用構造物によれば、施工性及び意匠性を向上させることができる。
【図面の簡単な説明】
【００１５】
【図１】本発明の実施形態に係る屋外用構造物の斜視図である。
【図２】本発明の実施形態に係る屋根材の断面図である。
【図３】本発明の実施形態の屋外用構造物の変形例を示す斜視図である。
【図４】本発明の実施形態の屋外用構造物の変形例を示す側面図である。
【図５】本発明の実施形態の屋外用構造物の変形例を示す斜視図である。
【図６】図５に示す屋外用構造物の分解斜視図である。
【図７】本発明の実施形態の屋根材の変形例を示す斜視図である。
【発明を実施するための形態】
【００１６】
本発明の一実施形態に係る屋外用構造物について説明する。本実施形態では駐輪場に設けられる屋外用構造物１を例に説明する。図１は本実施形態に係る屋外用構造物１の斜視図であり、屋根部２の上面の一部を破断した図である。図２は、屋外用構造物１の屋根材４の断面図である。図１及び図２に示すように、本実施形態に係る屋外用構造物１は、屋根部２と、支柱（支持部材）３とを備える。
【００１７】
屋根部２は、略長方形の平板形状を有する。屋根部２は、屋根材４と、外装材４５とを備える。図２に示すように、屋根材４は、芯材４１と、芯材４１の両面に配置された薄板４２１，４２２とが積層されて構成されている。
【００１８】
芯材４１は、押出発泡ポリスチレンからなる板材である。具体的には、ポリスチレン又はポリスチレンの共重合体に発泡剤等を添加して溶融させた原料を押し出し発泡成形して形成された厚さ３ｃｍの板材である。
薄板は、上側薄板４２１と下側薄板４２２とで構成される。上側薄板４２１は、厚さ０.５ｍｍのアルミニウム板からなる。下側薄板４２２は、厚さ３ｍｍのアルミニウム樹脂複合板からなる。アルミニウム樹脂複合板は、例えば、ポリエチレン等の樹脂芯材の両面にアルミニウム面材が積層されて構成されたものを使用できる。上側薄板４２１及び下側薄板４２２は、芯材４１の上下面にそれぞれ接着剤で貼り付けられて屋根材４が形成されている。
【００１９】
外装材４５は、屋根材４の少なくとも下面に接着材により貼り付けられるシートである。外装材４５は、屋根材４の表面の保護及び意匠性を高めるために設けられる。本実施形態では、外装材４５は、木目模様が印刷されたシートで構成されており、屋根材４の上下面に貼り付けられている。この外装材４５を屋根材４に張り付けると、屋根材４が木製の板屋根のような外観となる。なお、外装材４５は、色、模様等を適宜選択して設けることができる。また、外装材４５はシートに限らず、金属や樹脂製の建材や塗装、印刷等であってもよい。
【００２０】
屋根部２は、屋根材４の周囲に枠体６が設けられている。図２に示すように、枠体６は、枠本体６１と、枠本体６１の外周面を覆うカバー６２とを備える。枠本体６１及びカバー６２は、アルミニウム製の押し出し形材である。枠体６は、外装材４５と同じ柄のシートが貼られたラッピング形材である。
【００２１】
枠本体６１は、略Ｈ字形の断面を有する長尺部材である。枠本体６１の一方の内側凹部６１１に屋根材４の外縁部４３が内嵌される。枠本体６１の他方の外側凹部６１２の上下端部には、枠本体６１の長手方向に沿って係止部６１３、６１４が形成されている。カバー６２は、長尺な略板状の部材であり、背面６２２の上部及び下部に係止爪６２３、６２４が形成されている。カバー６２は、枠本体６１の外側凹部６１２を覆うように配置されて枠本体６１の係止部６１３、６１４と、係止爪６２３、６２４とがそれぞれ係合される。
【００２２】
枠体６は、屋根材４の側面にそれぞれ外嵌されている。枠体６と屋根材４の外嵌部分の隙間は、シール材（不図示）により塞がれて防水処理が施されている。シール材は、例えば、フィルムにアクリル系感圧型粘着剤が設けられた接着テープが用いられる。なお、図２には、屋根材４のみが外装材４５で被覆される構成を示すが、屋根材４及び枠体６が外装材４５で被覆される構成でもよい。また、シール材として、コーキング材を塗布してもよい。
【００２３】
図１に示すように、屋外用構造物１は、屋根部２が４本の支柱３で支持される構成を有する。支柱３は、例えば、アルミニウム形材からなる。
【００２４】
次に、本実施形態の屋外用構造物１の施工方法を示す。
屋外用構造物１の屋根部２及び支柱３は予め工場で作製されており、これらを施工現場で組み立てることにより屋外用構造物１が得られる。まず、敷地に埋設または固定された複数の土台部（不図示）にそれぞれ４本の支柱３が固定されて立設される。
【００２５】
屋根材４の側面に枠本体６１が固定された状態の屋根部２を４本の支柱３の上端部３１に載置する。支柱３の上端部３１に枠本体６１の外側凹部６１２の下部をネジ等により固定して屋根部２を支柱３に固定する。続いて、枠本体６１に、カバー６２を係合させて固定し、屋外用構造物１が完成する。
【００２６】
本実施形態の屋外用構造物１によれば、屋根材４が二枚の薄板４２１，４２２の間に発泡体で形成された芯材４１が配置されて構成されているため、屋根部２を軽量化できる。また、従来の屋外用構造物で用いられている垂木や母屋等の屋根を構成する部品が不要となり、工場及び施工現場での製造効率が向上する。さらに、屋根材４の下面（天井）を平坦にすることができ、意匠性に優れた屋外用構造物１を提供できる。また、屋根部２の遮光性に優れる。
【００２７】
本実施形態の屋外用構造物１によれば、芯材は押出発泡ポリスチレンからなるため、屋根材４の軽量化と、耐熱性、断熱性を向上させることができる。
【００２８】
本実施形態の屋外用構造物１によれば、屋根材４を軽量化できるので、梁が不要となり、枠体６に直接支柱３を連結することにより屋根材４が支持可能となる。したがって、簡便な支持構造となり、屋外用構造物の施工時の作業性を向上させることができる。また、従来の屋外用構造物１に比べて、連結部分の構造が露出しないため、意匠性に優れた屋外用構造物を提供できる。
【００２９】
本実施形態の屋外用構造物１によれば、発泡体で形成された芯材を軽量且つ耐久性に優れた薄板４２１，４２２で挟む構成を備えるので、屋根材４を軽量化でき、且つ、屋根材４の耐熱性、遮光性、及び耐久性を向上させることができる。
【００３０】
以上、本発明の実施形態について図面を参照して詳述したが、具体的な構成はこの実施形態に限られるものではなく、本発明の要旨を逸脱しない範囲の設計変更等も含まれる。
また、上述の各実施形態及び各変形例において示した構成要素は適宜に組み合わせて構成することが可能である。
【００３１】
［第１変形例］
次に、上記実施形態の屋外用構造物の第１変形例を示す。なお、以降の説明において、すでに説明したものと共通する構成等については、同一の符号を付して重複する説明を省略する。図３に上記実施形態の変形例の屋外用構造物１Ａの斜視図を示す。図４に上記実施形態の変形例の屋外用構造物１Ａの側面図を示す。図３及び図４に示すように、本変形例の屋外用構造物１Ａは、屋根部２の長辺の一方側のみに２本の支柱３，３が立設されて、屋根部２を支持するように構成されている。以下の説明では、屋根部２において、支柱３，３が設けられている縁端部を屋根部２の基端部２１と称し、基端部２１と平行に延び、支柱３が設けられていない縁端部を屋根部の先端部２２と称する。
【００３２】
屋外用構造物１Ａは、屋根部２の上面側に梁７を設けて、梁７を介して屋根材４が支柱３に支持される構成を有する。図３及び図４に示すように、梁７は、支柱３の上端部３１に基端部７１が固定され、支柱３の上端部３１から屋根部２の先端部２２に向かって延設されている。
【００３３】
梁７の基端部７１と屋根部２の基端部２１側の枠体６との間、及び梁７の先端部７２と屋根部２の先端部２２側の枠体６との間には、それぞれ係止部材８１、８２が設けられている。屋根部２の上面側において、屋根部２と梁７とは、係止部材８１、８２により係止され、係止部材８１，８２が設けられた場所において不図示のネジ等により連結される。このように、屋外用構造物１Ａは、支柱３及び梁７により吊り下げられて支持されている。
【００３４】
次に、本変形例の屋外用構造物１Ａの施工方法を示す。
上記実施形態と同様に、敷地に埋設または固定された複数の土台部（不図示）にそれぞれ支柱３，３が固定されて立設される。次に、支柱３の上端部３１に梁７を固定する。支柱３と梁７とは連結部材９を介して連結されている。図４に示すように、連結部材９は、Ｌ字型の角柱部材である。支柱３の上端部３１及び梁７の基端部７１にはそれぞれ中空部が形成されている。連結部材９の一方の端部９１を梁７の基端部７１の中空部に挿入して固定する。次に、支柱３の上端部３１の開口から中空部に連結部材９の他方の端部９２を挿入して固定する。これにより連結部材９を介して梁７の基端部７１を支柱３に固定する。その後、支柱３の上端部３１の開口を上端キャップ３２で塞ぐ。なお、支柱３と梁７とは、支柱３を立設する前に連結させてもよい。
【００３５】
次に、屋根部２を梁７に取り付ける。まず、屋根部２の基端部２１側の枠本体６１の上面に設けられた屋根係止部６１５と、梁７の基端部７１に固定された梁側係止部材８１２とを係止させる。同時に、屋根部２の先端部２２側の枠本体６１の上面に固定された屋根側係止部材８２１を、梁７の先端部７２に形成された開口に挿入して梁７の先端部７２に係止させる。その後、先端部２２側において、屋根側係止部材８２１を梁７の先端部７２にビス８３で固定して屋根部２を梁７に固定する。次に、梁７の先端部７２の開口を先端キャップ７４で塞ぐ。このとき、本実施形態の屋根部２は、上述の通り、軽量であるため、施工者は容易に屋根部２を梁７の近傍に配置して固定できる。したがって、施工現場での負担が大幅に軽減される。このようにして、屋外用構造物１Ａが完成する。
【００３６】
本変形例の屋外用構造物１Ａによれば、上記実施形態と同様に、屋根材４を軽量化することができ、且つ、十分な強度、耐熱性、断熱性を向上させることができる。また、従来の屋外用構造物で用いられているポリカーボネート製の屋根材に比べて強度を高くできるため、垂木や母屋等の屋根を構成する部品が不要となり、工場及び施工現場での製造効率が向上する。さらに、屋根材４の下面（天井）を平坦にすることができ、意匠性に優れた屋外用構造物１を提供できる。また、屋根部２の遮光性に優れる。
【００３７】
本変形例の屋外用構造物１Ａによれば、屋根材４を軽量化できるため、片持ち支持構造の屋外用構造物を、簡易な構成で実現できる。また、屋根部を軽量化できるため、屋根材４の面積が大きい場合にも安定して屋根部２を支持できる。
【００３８】
本変形例では、支柱３とは別の部材で梁７を構成して、支柱３に固定する例を示したが、梁７と支柱３とが一部材として形成された構成でも良い。従来の屋外用構造物では、屋根部が本実施形態の屋根部に比べて重いため、別の部材で構成した梁７を用いた強固な支持構造が採用されていた。しかし、本発明に係る屋外用構造物は、屋根材を軽量化できるので、梁７と支柱３とを一部材で形成した構成でも屋根材４を安定して支持可能である。
【００３９】
［第２変形例］
次に、上記実施形態の屋外用構造物の第２変形例を図５及び図６を用いて説明する。図５は、本変形例の屋外用構造物１Ｂを示す屋根部２Ｂの上面側の斜視図である。図６は、屋根部２Ｂのコーナーキャップ５の部分の分解斜視図である。本変形例は、屋根部２の角部に排水機能を備えるコーナーキャップ５を備える点で、上記実施形態及び第１変形例と相違する。
【００４０】
コーナーキャップ５は、屋根部２Ｂの直交する２辺からなる角部に配置された枠体６の端部同士が近接する位置に生じる開口を埋めるキャップである。図６に示すように、コーナーキャップ５は、蓋部５１と、通水部５２と、係止部５３とを備える。コーナーキャップ５は、ＡＳＡ樹脂（Acrylonitrile-Styrene-Acrylate樹脂）からなる成型部材である。蓋部５１は、略板状に形成され、枠本体６１とカバー６２とが係合された状態の端部（長手方向の端部）を覆う大きさを有する。通水部５２は、略直方体形状であり、上下方向に貫通する通水孔５４が形成されている。係止部５３は、通水部５２から突出して形成された一対の係止片５３ａからなる。
【００４１】
図５及び図６に示すように、屋根部２Ｂの角部において、屋根部２の長辺方向の枠本体６１ａ及び短辺方向の枠本体６１ｂの端部のうちのいずれか一方が勝つように配置される。本変形例では、長辺方向の枠本体６１ａが勝つように配置されている。枠本体６１ａ，６１ｂ同士はスペーサ５５を介してねじ５６，５６で固定されている。短辺方向の枠本体６１ｂに取り付けられるカバー６２ｂは、長辺方向の枠本体６１ａの端部を覆う位置まで延設されている。長辺方向の枠本体６１ａの端部と短辺方向のカバー６２ｂとの間には隙間が設けられている。この隙間を埋めるように通水部５２が配置され、且つ、短辺方向のカバー６２ｂの端部が蓋部５１で覆われるようにコーナーキャップ５が配置される。このとき、コーナーキャップ５の係止部５３と、スペーサ５５とが係止されている。コーナーキャップ５は、スペーサ５５と係止部３５との係合及び枠本体６１ａ，６１ｂに挟まれることにより位置が固定されている。
【００４２】
図５に示すように、通水部５２の上端は、カバー６２ａ，６２ｂの上端よりも下方に位置し、且つ、枠本体６１ａ，６１ｂの上面と面一に配置されている。通水孔５４は、屋根部２の上下方向に貫通しているので、降雨時に通水部５２の通水孔５４から雨水が排水可能となる。また、通水部５２、枠本体６１ａ，６１ｂの上面及び屋根材４の上面よりもカバー６２ａ，６２ｂの上端が高いので、屋根部２の外周部全域から雨水が流れ落ちることをカバー６２ａ，６２ｂにより防ぐことができる。
【００４３】
本変形例に係る屋外用構造物１Ｂは、通水孔５４が形成されたコーナーキャップ５を備えているので、従来の屋外用構造物のように、屋根部２の周囲に雨樋を設けることなく、屋根部２上の雨水を排水することができる。そのため、従来の屋外用構造物に比べて、雨樋を設ける作業が不要となり、施工性を向上させることができる。また、屋根部２の外観が雨樋の影響を受けることがなく、意匠性に優れた屋外用構造物１Ｂを提供できる。
【００４４】
通水部５２を備えるコーナーキャップ５は、屋根部２の四隅に設けてもよい。この他、例えば、屋根部２を水平方向に対して傾斜させて取り付けた場合、高さが低い角部にのみ通水部５２を備えるコーナーキャップ５を設ける構成としてもよい。
【００４５】
上記実施形態及び変形例では、支持部材として支柱３を例示したが、屋根部２を支持可能なものであればよく、例えば、壁体であってもよい。また、上記変形例では、屋根材４の基端部２１側のみに２本の支柱３，３を設け、屋根部を片持ちで支持する例を示したが、屋根部の支持構造はこれに限定されない。例えば、支持部材を屋根材の長辺の両方に設ける構成であってもよい。この他、３本以上の柱で屋根部を支持する構成や、支柱と壁体とを組み合わせて屋根部を支持する構成であってもよい。また、屋根部の長辺方向及び短辺方向の両方または一方に支柱を設けてもよい。
【００４６】
上記実施形態では、屋根部２が略長方形である例を示したが、屋根部２の平面形状はこれに限定されない。上述の通り、屋根材は、押出発泡ポリスチレン等の板材からなるので形状の自由度が高い。例えば、屋根部２の形状が正方形や、三角形、多角形であってもよい。この他、屋根材が軽量であるため、多角形の屋根材であっても、支持部材をバランス良く配置することにより、少ない支持部材で屋根部２を支持可能である。したがって、屋外用構造物の立地条件や意匠性の自由度が高い。
【００４７】
上記実施形態及び変形例では、薄板は上側薄板４２１がアルミニウム板からなり、下側薄板４２２がアルミニウム樹脂複合板からなる例を示したが、薄板はこれに限定されず、軽量且つ耐久性に優れた板材若しくはシートであればよい。例えば、繊維強化プラスチック板、鋼板のいずれか一つまたはいずれかの組み合わせからなる薄板でもよい。また、上側薄板及び下側薄板が同じ材料からなる薄板であってもよい。この他、例えば、薄板として、木目模様等を有するシートを直接発泡体に貼って屋根材を構成してもよい。
【００４８】
上記実施形態及び変形例では、屋根材では、芯材の上下面に異なる薄板を設ける例を示したが、薄板の構成はこれに限定されず、芯材の上下面で厚さが同じ薄板を設けてもよい。
【００４９】
上記実施形態では、外装材４５が屋根材４の上下面に設けられる例を示したが、外装材４５は、屋根材４の少なくとも下面に設けられていればよい。
【００５０】
上記実施形態及び変形例では、芯材として、押出発泡ポリスチレンからなる板材を例示したが、芯材は発泡体で形成された軽量且つ屋根材として十分な強度を備えるものであればよく、例えば、発泡ポリエチレン、発泡スチロール等であってもよい。さらに、図７に示す変形例の屋根材４Ｃの様に、芯材４１Ｃがハニカム構造体であってもよい。ハニカム構造体の芯材４１Ｃの場合、発泡ポリスチレン、発泡ポリエチレン、発泡スチロール、金属、樹脂等で形成されたハニカム構造体であってもよい。
【００５１】
本実施形態では、アルミニウム板（薄板）と枠体とが別の部材で構成される例を挙げたが、２枚の薄板と基端部及び先端部の枠体とを一体に形成して、２枚の薄板と基端部側の枠体と先端部側の枠体との間に芯材を収容する構成であってもよい。
【符号の説明】
【００５２】
１  屋外用構造物
３  支柱（支持部材）
４  屋根材
６  枠体
４１  芯材
４２  薄板
【図１】
0006666158.tif 000002
【図２】
0006666158.tif 000003
【図３】
0006666158.tif 000004
【図４】
0006666158.tif 000005
【図５】
0006666158.tif 000006
【図６】
0006666158.tif 000007
【図７】
0006666158.tif 000008